(57)【要約】【課題】ＩＱ信号の調整を自動的に行なうことができる無線装置、ＩＱ信号調整方法、およびＩＱ信号調整プログラムを提供する。【解決手段】基地局１において、ＩＱ信号調整時には、送信系回路２０から出力された送信信号はスイッチ回路３０を介して受信系回路５０にループバックされる。受信系回路５０においては、オフセット調整用フィルタ５７ｂおよび振幅調整用フィルタ５７ｃによって、送信信号のＩＱ信号のオフセットおよび振幅の適正値からのずれを表わす信号成分が抽出される。制御部１００は、抽出された信号成分が最小になるように、送信系回路２０においてＩＱ信号のオフセットおよび振幅を調整する。【選択図】　　　　図１
2004120561.tif 000002
【特許請求の範囲】
【請求項１】
アンテナを介して信号を送受信する無線装置であって、
ＩＱ信号からなる送信信号に所定の処理を施して前記アンテナから送信する送信系回路と、
前記アンテナで受信した信号を復調する受信系回路と、
前記ＩＱ信号の調整時に、前記送信系回路で前記所定の処理を施された送信信号を前記受信系回路に与えるスイッチ回路とを備え、
前記送信系回路は、
前記ＩＱ信号のそれぞれの所定の特性を変化させる調整回路を含み、
前記受信系回路は、
前記送信系回路から受信した送信信号の前記ＩＱ信号のそれぞれの前記所定の特性の適正値からのずれを検出するフィルタ回路を含み、
前記フィルタ回路の検出出力に応じて、前記ＩＱ信号の前記所定の特性が前記適正値となるように前記調整回路を制御する制御部をさらに備えた、無線装置。
【請求項２】
前記ＩＱ信号の前記特性は、振幅および電圧レベルであり、
前記フィルタ回路は、
前記振幅の適正値からのずれを表わす信号成分を抽出する第１のフィルタと、
前記電圧レベルの適正値からのずれを表わす信号成分を抽出する第２のフィルタとを含み、
前記制御部は、前記第１および第２のフィルタの出力レベルに応じて前記調整回路を制御する、請求項１に記載の無線装置。
【請求項３】
前記制御部は、
前記第１のフィルタの出力レベルが最小となる前記ＩＱ信号の振幅を特定し、
前記第２のフィルタの出力レベルが最小となる前記ＩＱ信号の電圧レベルを特定し、
前記ＩＱ信号の振幅および電圧レベルが前記特定された振幅および電圧レベルになるように前記調整回路を制御する、請求項２に記載の無線装置。
【請求項４】
前記調整回路は、デジタルの前記ＩＱ信号のそれぞれの前記所定の特性を変化させる、請求項１から３のいずれかに記載の無線装置。
【請求項５】
前記調整回路は、アナログの前記ＩＱ信号のそれぞれの前記所定の特性を変化させる、請求項１から３のいずれかに記載の無線装置。
【請求項６】
アンテナを介して信号を送受信する無線装置におけるＩＱ信号調整方法であって、
前記無線装置の送信系回路において、ＩＱ信号からなる送信信号に所定の処理を施すステップと、
前記所定の処理を施された送信信号を前記無線装置の受信系回路に与えるステップと、
前記無線装置の受信系回路において、前記送信信号の前記ＩＱ信号のそれぞれの所定の特性の適正値からのずれを検出するステップと、
前記検出されたずれに応じて、前記無線装置の前記送信系回路において、前記ＩＱ信号の前記所定の特性が前記適正値となるように前記ＩＱ信号の前記所定の特性を制御するステップとを備えた、ＩＱ信号調整方法。
【請求項７】
前記ＩＱ信号の前記特性は、振幅および電圧レベルであり、
前記ずれを検出するステップは、
前記振幅の適正値からのずれを表わす信号成分を抽出するステップと、
前記電圧レベルの適正値からのずれを表わす信号成分を抽出するステップとを含み、
前記制御するステップは、前記抽出された信号成分の出力レベルに応じて前記ＩＱ信号の前記所定の特性を制御する、請求項６に記載のＩＱ信号調整方法。
【請求項８】
前記制御するステップは、
前記振幅の適正値からのずれを表わすレベルが最小となる前記ＩＱ信号の振幅を特定するステップと、
前記電圧レベルの適正値からのずれを表わすレベルが最小となる前記ＩＱ信号の電圧レベルを特定するステップと、
前記ＩＱ信号の振幅および電圧レベルが前記特定された振幅および電圧レベルになるように前記ＩＱ信号の振幅および電圧レベルを制御するステップとを含む、請求項７に記載のＩＱ信号調整方法。
【請求項９】
前記制御するステップは、デジタルの前記ＩＱ信号のそれぞれの前記所定の特性を変化させる、請求項６から８のいずれかに記載のＩＱ信号調整方法。
【請求項１０】
前記制御するステップは、アナログの前記ＩＱ信号のそれぞれの前記所定の特性を変化させる、請求項６から８のいずれかに記載のＩＱ信号調整方法。
【請求項１１】
アンテナを介して信号を送受信する無線装置におけるＩＱ信号調整プログラムであって、コンピュータに、
前記無線装置の送信系回路において、ＩＱ信号からなる送信信号に所定の処理を施すステップと、
前記所定の処理を施された送信信号を前記無線装置の受信系回路に与えるステップと、
前記無線装置の受信系回路において、前記送信信号の前記ＩＱ信号のそれぞれの所定の特性の適正値からのずれを検出するステップと、
前記検出されたずれに応じて、前記無線装置の前記送信系回路において、前記ＩＱ信号の前記所定の特性が前記適正値となるように前記ＩＱ信号の前記所定の特性を制御するステップとを実行させる、ＩＱ信号調整プログラム。
【請求項１２】
前記ＩＱ信号の前記特性は、振幅および電圧レベルであり、
前記ずれを検出するステップは、
前記振幅の適正値からのずれを表わす信号成分を抽出するステップと、
前記電圧レベルの適正値からのずれを表わす信号成分を抽出するステップとを含み、
前記制御するステップは、前記抽出された信号成分の出力レベルに応じて前記ＩＱ信号の前記所定の特性を制御する、請求項１１に記載のＩＱ信号調整プログラム。
【請求項１３】
前記制御するステップは、
前記振幅の適正値からのずれを表わすレベルが最小となる前記ＩＱ信号の振幅を特定するステップと、
前記電圧レベルの適正値からのずれを表わすレベルが最小となる前記ＩＱ信号の電圧レベルを特定するステップと、
前記ＩＱ信号の振幅および電圧レベルが前記特定された振幅および電圧レベルになるように前記ＩＱ信号の振幅および電圧レベルを制御するステップとを含む、請求項１２に記載のＩＱ信号調整プログラム。
【請求項１４】
前記制御するステップは、デジタルの前記ＩＱ信号のそれぞれの前記所定の特性を変化させる、請求項１１から１３のいずれかに記載のＩＱ信号調整プログラム。
【請求項１５】
前記制御するステップは、アナログの前記ＩＱ信号のそれぞれの前記所定の特性を変化させる、請求項１１から１３のいずれかに記載のＩＱ信号調整プログラム。
【発明の詳細な説明】
【０００１】
【発明の属する技術分野】
この発明は、無線装置、ＩＱ信号調整方法、およびＩＱ信号調整プログラムに関し、特に、移動体通信システムにおける無線基地装置のような送受信機能を有する無線装置、およびそのような無線装置におけるＩＱ信号の調整方法および調整プログラムに関する。
【０００２】
【従来の技術】
従来、たとえばＰＨＳ（Ｐｅｒｓｏｎａｌ　Ｈａｎｄｙｐｈｏｎｅ　Ｓｙｓｔｅｍ）のような移動体通信システムにおいては、移動端末装置（以下、端末）と、無線基地装置（以下、基地局）との間で、たとえば周知のπ／４シフトＱＰＳＫ（Ｑｕａｄｒａｔｕｒｅ　Ｐｈａｓｅ　ＳｈｉｆｔＫｅｙｉｎｇ）のような変調方式により、無線通信が行なわれていた。
【０００３】
このような変調方式を採用した、無線送信装置においては、同相信号（Ｉｎ−Ｐｈａｓｅ　Ｓｉｇｎａｌ：以下、Ｉ信号）および直角位相信号（Ｑｕａｄｒａｔｕｒｅ　Ｓｉｇｎａｌ：以下、Ｑ信号）に分離して変調処理が行なわれる。
【０００４】
このような、無線送信装置においては、変調精度の良好な送信信号を得るためにはＩ信号およびＱ信号（以下、両者をＩＱ信号と総称する）の相互のバランスが取れていることが望ましい。具体的には、ＩＱ信号の間で振幅および電圧レベルがバランスしていることが望ましい。
【０００５】
このため、無線送信装置内において、ＩＱ信号の各々の振幅および電圧レベルを、設計時に予め設定されている範囲内の値に合わせる必要がある。
【０００６】
たとえば、従来の基地局では、このようなＩＱ信号の調整は、基本的には工場内において生産工程の一部として出荷前に行なわれる。
【０００７】
一方、現地に基地局を設置後、経年変化、環境変化による部品の劣化や急な故障により、ＩＱ信号の振幅の大きさが変化してしまったり、全体に電圧レベルにずれが生じる（オフセット）場合がある。
【０００８】
このように出荷後にＩＱ信号の調整が本来の適正値からずれた場合には、設置されていた基地局を取り外して工場に送り返し、再調整しなければならない。
【０００９】
図５は、従来の基地局のうち、送信系の回路部分を抽出して示すブロック図である。図５を参照して、基地局１内の送信系回路２には、図示しない信号処理部から、デジタルのＩＱ信号が与えられる。
【００１０】
より具体的に、デジタルのＩ信号は、Ｄ／Ａコンバータ３ａによってアナログ信号に変換された後、手動で電圧レベルを上下に調整できるオフセット調整器４ａに与えられる。
【００１１】
オフセット調整器４ａでレベル調整されたアナログのＩ信号は、手動で増幅率を調整できる可変利得増幅器５ａに与えられる。可変利得増幅器５ａの出力は、増幅器６ａでさらに増幅された後、混合器７ａの一方入力に与えられる。混合器７ａの他方入力には、図示しない発振回路から分配器８を介して、中間周波数（ＩＦ）の発振信号が与えられる。
【００１２】
混合器７ａから出力される中間周波数のＩ信号は、加算器９の一方入力に与えられる。
【００１３】
一方、デジタルのＱ信号は、Ｄ／Ａコンバータ３ｂによってアナログ信号に変換された後、手動で電圧レベルを上下に調整できるオフセット調整器４ｂに与えられる。
【００１４】
オフセット調整器４ｂでレベル調整されたアナログのＱ信号は、手動で増幅率を調整できる可変利得増幅器５ｂに与えられる。可変利得増幅器５ｂの出力は、増幅器６ｂでさらに増幅された後、混合器７ｂの一方入力に与えられる。混合器７ｂの他方入力には、図示しない発振回路から分配器８を介して、中間周波数（ＩＦ）の発振信号が与えられる。
【００１５】
混合器７ｂから出力される中間周波数のＱ信号は、加算器９の他方入力に与えられる。
【００１６】
加算器９で加算された変調信号は、混合器１０の一方入力に与えられる。混合器１０の他方入力には、図示しない発振回路から無線周波数（ＲＦ）の発振信号が与えられる。
【００１７】
混合器１０から出力される無線周波数の送信信号は、さらに増幅器１１で増幅された後、送信系回路２から出力される。この送信系回路２から出力された送信信号は、通常は、図示しないアンテナによって送信される。
【００１８】
ここで、前述のように、基地局１内の送信系回路２におけるＩＱ信号の調整は、工場出荷前の工程において、手動により行なわれていた。
【００１９】
図５を参照してより具体的に説明すると、ＩＱ信号の電圧レベルのずれ（オフセット）はそれぞれ、作業者が送信系回路２の出力に接続された計測器１２の出力をモニターしながらオフセット調整器４ａ，４ｂの可変抵抗器を手動で調整することによって、予め設定された範囲内の値に調整された。
【００２０】
また、ＩＱ信号の振幅の変化はそれぞれ、作業者が送信系回路２の出力に接続された計測器１２の出力をモニターしながら可変利得増幅器５ａ，５ｂの増幅率を手動で調整することによって、予め設定された範囲内の値に調整された。
【００２１】
なお、以上本発明についての従来の技術を、出願人の知得した一般的技術情報に基づいて説明したが、出願人の記憶する範囲において、出願前までに先行技術文献情報として開示すべき情報を出願人は有していない。
【００２２】
【発明が解決しようとする課題】
以上のように、基地局のＩＱ信号の調整は、出荷前に工場内において作業者が計測器の計測結果を見ながら手動で行なっていた。このようなＩＱ信号の調整は、非常に微妙な作業であり、作業者の熟練を要し、実際の調整作業に手間と時間がかかっていた。また、作業者の計測器を見ながらの手動による調整であり、調整の精度の点でも必ずしも十分なものではなかった。
【００２３】
また、基地局設置後に、経年変化や故障により、ＩＱ信号の再調整の必要が生じた場合には、基地局を工場に送り返して、上述のような作業者による計測器を用いた手動の再調整を受ける必要性があり、作業が非常に煩雑となり、しかもその間基地局が使用できなくなるという問題があった。
【００２４】
それゆえに、この発明は、計測器を用いた手動調整によらず、高精度のＩＱ信号の調整を自動的に行なうことができる無線装置、ＩＱ信号調整方法、およびＩＱ信号調整プログラムを提供することである。
【００２５】
この発明の他の目的は、取り外して工場に送り返すことなく、設置されたその場所でＩＱ信号を自動的に調整することができる無線装置、ＩＱ信号調整方法、およびＩＱ信号調整プログラムを提供することである。
【００２６】
【課題を解決するための手段】
この発明の１つの局面によれば、アンテナを介して信号を送受信する無線装置は、送信系回路と、受信系回路と、スイッチ回路と、制御部とを備える。送信系回路は、ＩＱ信号からなる送信信号に所定の処理を施してアンテナから送信する。受信系回路は、アンテナで受信した信号を復調する。スイッチ回路は、ＩＱ信号の調整時に、送信系回路で所定の処理を施された送信信号を受信系回路に与える。送信系回路は、ＩＱ信号のそれぞれの所定の特性を変化させる調整回路を含み、受信系回路は、送信系回路から受信した送信信号のＩＱ信号のそれぞれの所定の特性の適正値からのずれを検出するフィルタ回路を含む。制御部は、フィルタ回路の検出出力に応じて、ＩＱ信号の所定の特性が適正値となるように調整回路を制御する。
【００２７】
好ましくは、ＩＱ信号の特性は、振幅および電圧レベルである。フィルタ回路は、振幅の適正値からのずれを表わす信号成分を抽出する第１のフィルタと、電圧レベルの適正値からのずれを表わす信号成分を抽出する第２のフィルタとを含む。制御部は、第１および第２のフィルタの出力レベルに応じて調整回路を制御する。
【００２８】
好ましくは、制御部は、第１のフィルタの出力レベルが最小となるＩＱ信号の振幅を特定し、第２のフィルタの出力レベルが最小となるＩＱ信号の電圧レベルを特定し、ＩＱ信号の振幅および電圧レベルが特定された振幅および電圧レベルになるように調整回路を制御する。
【００２９】
好ましくは、調整回路は、デジタルのＩＱ信号のそれぞれの所定の特性を変化させる。
【００３０】
好ましくは、調整回路は、アナログのＩＱ信号のそれぞれの所定の特性を変化させる。
【００３１】
この発明の他の局面によれば、アンテナを介して信号を送受信する無線装置におけるＩＱ信号調整方法は、無線装置の送信系回路において、ＩＱ信号からなる送信信号に所定の処理を施すステップと、所定の処理を施された送信信号を無線装置の受信系回路に与えるステップと、無線装置の受信系回路において、送信信号のＩＱ信号のそれぞれの所定の特性の適正値からのずれを検出するステップと、検出されたずれに応じて、無線装置の送信系回路において、ＩＱ信号の所定の特性が適正値となるようにＩＱ信号の所定の特性を制御するステップとを備える。
【００３２】
好ましくは、ＩＱ信号の特性は、振幅および電圧レベルである。ずれを検出するステップは、振幅の適正値からのずれを表わす信号成分を抽出するステップと、電圧レベルの適正値からのずれを表わす信号成分を抽出するステップとを含む。制御するステップは、抽出された信号成分の出力レベルに応じてＩＱ信号の所定の特性を制御する。
【００３３】
好ましくは、制御するステップは、振幅の適正値からのずれを表わすレベルが最小となるＩＱ信号の振幅を特定するステップと、電圧レベルの適正値からのずれを表わすレベルが最小となるＩＱ信号の電圧レベルを特定するステップと、ＩＱ信号の振幅および電圧レベルが特定された振幅および電圧レベルになるようにＩＱ信号の振幅および電圧レベルを制御するステップとを含む。
【００３４】
好ましくは、制御するステップは、デジタルのＩＱ信号のそれぞれの所定の特性を変化させる。
【００３５】
好ましくは、制御するステップは、アナログのＩＱ信号のそれぞれの所定の特性を変化させる。
【００３６】
この発明のさらに他の局面によれば、アンテナを介して信号を送受信する無線装置におけるＩＱ信号調整プログラムは、コンピュータに、無線装置の送信系回路において、ＩＱ信号からなる送信信号に所定の処理を施すステップと、所定の処理を施された送信信号を無線装置の受信系回路に与えるステップと、無線装置の受信系回路において、送信信号のＩＱ信号のそれぞれの所定の特性の適正値からのずれを検出するステップと、検出されたずれに応じて、無線装置の送信系回路において、ＩＱ信号の所定の特性が適正値となるようにＩＱ信号の所定の特性を制御するステップとを実行させる。
【００３７】
好ましくは、ＩＱ信号の特性は、振幅および電圧レベルである。ずれを検出するステップは、振幅の適正値からのずれを表わす信号成分を抽出するステップと、電圧レベルの適正値からのずれを表わす信号成分を抽出するステップとを含む。制御するステップは、抽出された信号成分の出力レベルに応じてＩＱ信号の所定の特性を制御する。
【００３８】
好ましくは、制御するステップは、振幅の適正値からのずれを表わすレベルが最小となるＩＱ信号の振幅を特定するステップと、電圧レベルの適正値からのずれを表わすレベルが最小となるＩＱ信号の電圧レベルを特定するステップと、ＩＱ信号の振幅および電圧レベルが特定された振幅および電圧レベルになるようにＩＱ信号の振幅および電圧レベルを制御するステップとを含む。
【００３９】
好ましくは、制御するステップは、デジタルのＩＱ信号のそれぞれの所定の特性を変化させる。
【００４０】
好ましくは、制御するステップは、アナログのＩＱ信号のそれぞれの所定の特性を変化させる。
【００４１】
したがって、この発明によれば、無線装置の送信部におけるＩＱ信号の特性を、計測器を用いた手動ではなく、自動的に最適な値に調整することができるので、工場の生産工程においてＩＱ信号の調整の効率化、高精度化を図ることができる。
【００４２】
さらに、この発明によれば、無線装置の送信部におけるＩＱ信号の特性の調整を、定期的にまたは外部からの指示により自動的に行なうことができるので、工場に送り返すことなく現地に設置したままの状態で調整を行なうことができる。
【００４３】
【発明の実施の形態】
以下、この発明の実施の形態を図面を参照して詳しく説明する。なお、図中同一または相当部分には同一符号を付してその説明は繰り返さない。
【００４４】
［実施の形態１］
図１は、この発明の実施の形態１による無線装置としての基地局の機能ブロック図である。図１を参照して、基地局１は、大きくは、送信系回路２０と、スイッチ回路３０と、アンテナ４０と、受信系回路５０と、回線インターフェース６０と、信号処理部７０と、ローカル信号発生器８０と、分配器８１，８２と、制御部１００とを備えている。
【００４５】
より詳細に説明すると、基地局１からの送信時には、図示しないセンターからＩ’回線を介して基地局１に送信されてきた送信信号は、回線インターフェース６０を介して信号処理部７０に与えられる。
【００４６】
信号処理部７０は、送信系回路２０の機能の一部として、送信信号に対し変調処理、たとえばπ／４シフトＱＰＳＫ変調を施す。このため、信号処理部７０においては、送信信号はＩＱ信号に分離され、所定の信号処理を施された後、さらにこの発明による振幅調整およびオフセット調整を施される。
【００４７】
より詳細に説明すると、信号処理部７０において、デジタルのＩ信号は、制御部１００から与えられる制御信号に応じて振幅の大きさを自動的に調整できる振幅調整回路７１ａに与えられる。
【００４８】
振幅調整回路７１ａで振幅調整されたデジタルのＩ信号は、制御部１００から与えられる制御信号に応じて自動的に電圧レベルを上下に調整できるオフセット調整回路７２ａに与えられる。
【００４９】
オフセット調整回路７２ａでレベル調整されたデジタルのＩ信号は、信号処理回路７０から出力されて、送信系回路２０のＤ／Ａコンバータ２１ａに与えられる。デジタルのＩ信号は、Ｄ／Ａコンバータ２１ａによってアナログのＩ信号に変換される。
【００５０】
アナログのＩ信号は、増幅器２２ａでさらに増幅された後、混合器２３ａの一方入力に与えられる。混合器２３ａの他方入力には、ローカル信号発生回路８０から分配器８２，２４を介して、中間周波数（ＩＦ）の発振信号が与えられる。
【００５１】
混合器２３ａから出力される中間周波数のＩ信号は、加算器２５の一方入力に与えられる。
【００５２】
一方、信号処理部７０において、デジタルのＱ信号は、制御部１００から与えられる制御信号に応じて振幅の大きさを自動的に調整できる振幅調整回路７１ｂに与えられる。
【００５３】
振幅調整回路７１ｂで振幅調整されたデジタルのＱ信号は、制御部１００から与えられる制御信号に応じて自動的に電圧レベルを上下に調整できるオフセット調整回路７２ｂに与えられる。
【００５４】
オフセット調整回路７２ｂでレベル調整されたデジタルのＱ信号は、信号処理回路７０から出力されて、送信系回路２０のＤ／Ａコンバータ２１ｂに与えられる。デジタルのＱ信号は、Ｄ／Ａコンバータ２１ｂによってアナログのＱ信号に変換される。
【００５５】
アナログのＱ信号は、増幅器２２ｂでさらに増幅された後、混合器２３ｂの一方入力に与えられる。混合器２３ｂの他方入力には、ローカル信号発生回路８０から分配器８２，２４を介して、中間周波数（ＩＦ）の発振信号が与えられる。
【００５６】
混合器２３ｂから出力される中間周波数のＱ信号は、加算器２５の他方入力に与えられる。
【００５７】
加算器２５で加算された変調信号は、混合器２６の一方入力に与えられる。混合器２６の他方入力には、ローカル信号発生回路８０から分配器８１を介して無線周波数（ＲＦ）の発振信号が与えられる。
【００５８】
混合器２６から出力される無線周波数の送信信号は、さらに増幅器２７で増幅された後、送信系回路２０からスイッチ回路３０を介してアンテナ４０に与えられ送信される。より具体的には、送信時には、スイッチ回路３０のスイッチ３１は、制御部１００から与えられる切替制御信号により、送信系回路２０の出力をアンテナ４０に接続するように切替わる。
【００５９】
なお、スイッチ回路３０は、送信系回路２０の出力を、受信系回路５０の入力に直接与える（ループバックする）ためのスイッチ３２を備えているが、上述の送信時には、制御部１００からの切替制御信号により、このループバック用のスイッチ３２は開かれているものとする。
【００６０】
一方、基地局１の受信時には、アンテナ４０で受信された端末からの受信信号は、スイッチ回路３０を介して受信系回路５０の入力に与えられる。このとき、スイッチ回路３０のスイッチ３１は、制御部１００から与えられる切替制御信号により、アンテナ４０の出力を受信系回路５０の入力に接続するように切替わる。
【００６１】
なお、上述の受信時にも、制御部１００からの切替制御信号により、ループバック用のスイッチ３２は開かれているものとする。
【００６２】
アンテナ４０から受信系回路５０に与えられた受信信号は、増幅器５１で増幅された後、混合器５２の一方入力に与えられる。混合器５２の他方入力には、ローカル信号発生回路８０から分配器８１を介して無線周波数（ＲＦ）の発振信号が与えられる。
【００６３】
混合器５２から出力される無線周波数の受信信号は、さらに増幅器５３で増幅された後、分配器５４によって、混合器５５の一方入力およびスイッチ５６の一方端子に与えられる。
【００６４】
混合器５５の他方入力には、ローカル信号発生回路８０から分配器８２を介して、中間周波数（ＩＦ）の発振信号が与えられる。
【００６５】
混合器５５から出力される中間周波数の受信信号は、信号処理部７０に与えられる。信号処理部７０では、受信信号に対し、所定の復調処理が実行される。
【００６６】
一方、分配器５４からスイッチ５６に与えられた受信信号は、通常の受信動作時には、制御部１００からの切替制御信号によって切替制御されるスイッチ５６を介して、受信信号の電力レベルを示す周知の指標であるＲＳＳＩ（Ｒｅｃｅｉｖｅｄ　Ｓｉｇｎａｌ　Ｓｔｒｅｎｇｔｈ　Ｉｎｄｉｃａｔｏｒ）を測定するための広帯域のフィルタ５７ａに与えられ、そのフィルタ出力が、制御部１００からの切替制御信号によって切替制御されるスイッチ５８を介してレベル測定部５９に与えられる。
【００６７】
レベル測定部５９は、フィルタ５７ａの出力に基づいて受信電力レベルであるＲＳＳＩを測定し、信号処理部７０に与える。測定された受信電力レベルＲＳＳＩは信号処理部において各種信号処理に用いられる。
【００６８】
以上のような実施の形態１の基地局１において、ＩＱ信号の振幅およびオフセットを自動的に調整する動作について、説明する。
【００６９】
このＩＱ信号の調整モードにおいては、制御部１００からの切替制御信号に基づいて、スイッチ回路３０のスイッチ３１は、送信系回路２０および受信系回路５０のいずれもアンテナ４０には接続せず、かわりにループバック用のスイッチ３２を閉じて、送信系回路２０の出力を受信系回路５０の入力に直接与えるようにする。
【００７０】
そして、受信系回路５０内のスイッチ５６は、制御部１００からの切替制御信号により、分配器５４からの受信信号を振幅調整用の狭帯域のフィルタ５７ｃに与える。そのフィルタ出力が、制御部１００からの切替制御信号によって切替制御されるスイッチ５８を介してレベル測定部５９に与えられる。
【００７１】
レベル測定部５９で測定された振幅調整用フィルタ５７ｃのレベルは信号処理部７０を介して制御部１００に与えられ、制御部１００は、この測定されたレベルに基づいて、信号処理部７０内の振幅調整回路７１ａ，７１ｂに対する制御信号を発生し、デジタルのＩＱ信号の振幅を調整する。調整の具体的方法については後述する。
【００７２】
次に、受信系回路５０内のスイッチ５６は、制御部１００からの切替制御信号により、分配器５４からの受信信号をオフセット調整用の狭帯域のフィルタ５７ｂに与える。そのフィルタ出力が、制御部１００からの切替制御信号によって切替制御されるスイッチ５８を介してレベル測定部５９に与えられる。
【００７３】
レベル測定部５９で測定されたオフセット調整用フィルタ５７ｂのレベルは信号処理部７０を介して制御部１００に与えられ、制御部１００は、この測定されたレベルに基づいて、信号処理部７０内のオフセット調整回路７２ａ，７２ｂに対する制御信号を発生し、デジタルのＩＱ信号のオフセットを調整する。調整の具体的方法については後述する。
【００７４】
図２は、この発明の動作原理を説明する波形図である。次に、図２を参照して、この発明によるＩＱ信号の振幅およびオフセットの調整の原理について説明する。
【００７５】
図２は、π／４シフトＱＰＳＫ変調方式を用いて、１９２Ｋシンボル／秒、周波数ｆの条件で、００パターンの信号を送信した場合に得られるスペクトル図である。
【００７６】
ここで、周波数ｆの中央のスペクトルが最小のとき、ＩＱ信号のオフセットが最適となり、周波数ｆ−２４ＫＨｚの左側のスペクトルが最小のとき、ＩＱ信号の振幅が最適となる。
【００７７】
したがって、これらのスペクトルの周波数帯域の信号成分を抽出してそのレベルを測定する必要があるが、従来から受信系回路に設けられている受信電力レベルＲＳＳＩ測定用のフィルタ（図１のフィルタ５７ａ）は帯域が広すぎる。このため、周波数ｆのスペクトルの信号成分を抽出するためのオフセット調整専用の狭帯域フィルタ５７ｂおよび周波数ｆ−２４ＫＨｚのスペクトルの信号成分を抽出するための振幅調整専用の狭帯域フィルタ５７ｃを設けたものである。
【００７８】
そして、この発明では、これらの狭帯域フィルタのそれぞれの出力レベルが最小となるように、ＩＱ信号の振幅およびオフセットを調整する。
【００７９】
図１に示した基地局の機能ブロック図の構成は、実際には、図示しないデジタル・シグナル・プロセッサ（ＤＳＰ）によって、図３に示すフロー図に従ってソフトウェアで実行されるものである。このＤＳＰは、図３に示すフロー図の各ステップを備えるプログラムを図示しないメモリから読み出して実行する。このプログラムは、外部のセンターから回線を介して基地局にインストールすることができる。
【００８０】
以下に、図３を参照して、この発明の実施の形態１による基地局のＩＱ信号調整動作について説明する。
【００８１】
まず、ステップＳ１において、タイマによる割込みによってＩＱ信号の調整動作が定期的（たとえば週に１回、１ヶ月に１回など）かつ自動的に起動されるか、または外部のセンターからの指示（たとえば基地局の性能劣化が疑われるとき）によってＩＱ信号の調整動作が起動される。
【００８２】
次に、ステップＳ２において、信号処理部７０において送信されるＩＱ信号それぞれの振幅を変化させながら、受信系回路５０のレベル測定部５９において振幅調整用フィルタ５７ｃの出力レベルを取得し、その結果を図示しないメモリに格納する。
【００８３】
次に、ステップＳ３において、信号処理部７０において送信されるＩＱ信号それぞれのオフセットを変化させながら、受信系回路５０のレベル測定部５９においてオフセット調整用フィルタ５７ｂの出力レベルを取得し、その結果を図示しないメモリに格納する。
【００８４】
次に、ステップＳ４において、ステップＳ２および３で取得したフィルタ５７ｃ，５７ｂのそれぞれの出力レベルの最小値を検索する。
【００８５】
次に、ステップＳ５において、ステップＳ４において検索された振幅調整用フィルタ５７ｃの出力レベルが最小値となるＩＱ信号の振幅になるように振幅調整回路７１ａ，７１ｂを調整する。
【００８６】
次に、ステップＳ６において、ステップＳ４において検索されたオフセット調整用フィルタ５７ｂの出力レベルが最小値となるＩＱ信号のオフセットになるようにオフセット調整回路７２ａ，７２ｂを調整する。
【００８７】
この結果、ＩＱ信号の振幅およびオフセットは最適値に適合するように調整されたことになる。
【００８８】
以上のように、この発明の実施の形態１によれば、基地局の送信系回路におけるＩＱ信号の振幅およびオフセットを、計測器を用いた手動調整ではなく、自動的に最適な値に調整することができるので、工場の生産工程においてＩＱ信号の調整の効率化、高精度化を図ることができる。
【００８９】
さらに、この発明の実施の形態１によれば、基地局の送信系回路におけるＩＱ信号の振幅およびオフセットの調整を、定期的にまたはセンターからの指示により、自動的に行なうことができるので、基地局を取り外して工場に送り返すことなく現地に設置したままの状態で調整を行なうことができる。
【００９０】
［実施の形態２］
図４は、この発明の実施の形態２による無線装置としての基地局の機能ブロック図である。図４に示す実施の形態２による基地局は、以下の点で、図１に示した実施の形態１による基地局と異なっており、共通する部分についての説明は繰返さない。
【００９１】
すなわち、図１の実施の形態１の基地局では、ＩＱ信号の振幅およびオフセットの調整を、信号処理部７０においてデジタル信号処理で行なっていたが、図４の実施の形態２の基地局では、送信系回路部９０内においてＤ／Ａコンバータ９１ａ，９１ｂによってアナログ信号に変換された後のＩＱ信号に対し、制御部１００からの制御信号によって自動的に制御されるオフセット調整器９２ａ，９２ｂによってオフセット調整を行ない、制御部１００からの制御信号によって自動的に制御される可変利得増幅器９３ａ，９３ｂによって振幅調整を行なっている。
【００９２】
オフセット調整器９２ａ，９２ｂおよび可変利得増幅器９３ａ，９３ｂを制御する制御信号は、前述の実施の形態１と同様に、レベル測定部５９で測定されたオフセット調整用のフィルタ５７ｂの出力レベルおよび振幅調整用のフィルタ５７ｃの出力レベルがそれぞれ最小となるようＩＱ信号のオフセットおよび振幅を調整する信号である。
【００９３】
オフセットおよび振幅の調整手順は、図３に示した実施の形態１のフロー図と同じなので、ここでは説明を繰返さない。
【００９４】
なお、送信系回路９０を構成する増幅器９４ａ，９４ｂ、混合器９５ａ，９５ｂ、分配器９６、加算器９７、混合器９８、増幅器９９は、図１の実施の形態１の送信系回路２０の増幅器２２ａ，２２ｂ、混合器２３ａ，２３ｂ、分配器２４、加算器２５、混合器２６、増幅器２７に相当するので、その説明はここでは繰返さない。
【００９５】
以上のように、この発明の実施の形態２によれば、基地局の送信系回路におけるＩＱ信号の振幅およびオフセットを、計測器を用いた手動調整ではなく、自動的に最適な値に調整することができるので、工場の生産工程においてＩＱ信号の調整の効率化、高精度化を図ることができる。
【００９６】
さらに、この発明の実施の形態２によれば、基地局の送信系回路におけるＩＱ信号の振幅およびオフセットの調整を、定期的にまたはセンターからの指示により、自動的に行なうことができるので、基地局を取り外して工場に送り返すことなく現地に設置したままの状態で調整を行なうことができる。
【００９７】
なお、上述の実施の形態１および２では、無線装置として基地局を例に取って説明したが、この発明によるＩＱ信号の調整方法は、基地局に限らず、送信系回路および受信系回路を備えた無線装置であれば、どのような無線装置であっても適用可能である。
【００９８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００９９】
【発明の効果】
以上のように、この発明によれば、無線装置の送信部におけるＩＱ信号の特性を、計測器を用いた手動調整ではなく、自動的に最適な値に調整することができるので、工場の生産工程においてＩＱ信号の調整の効率化、高精度化を図ることができる。
【０１００】
さらに、この発明によれば、無線装置の送信部におけるＩＱ信号の特性の調整を、定期的にまたは外部からの指示により自動的に行なうことができるので、無線装置を工場に送り返すことなく現地に設置したままの状態で調整を行なうことができる。
【図面の簡単な説明】
【図１】この発明の実施の形態１による基地局の機能ブロック図である。
【図２】この発明の動作原理を説明する波形図である。
【図３】この発明の実施の形態１によるＩＱ信号調整方法を示すフロー図である。
【図４】この発明の実施の形態２による基地局の機能ブロック図である。
【図５】従来の基地局の送信部のブロック図である。
【符号の説明】
１　基地局、２，２０，９０　送信系回路、３ａ，３ｂ，２１ａ，２１ｂ，９１ａ，９１ｂ　Ｄ／Ａコンバータ、４ａ，４ｂ，９２ａ，９２ｂ　オフセット調整器、５ａ，５ｂ，９３ａ，９３ｂ　可変利得増幅器、６ａ，６ｂ，１１，２２ａ，２２ｂ，２７，５１，５３，９４ａ，９４ｂ，９９　増幅器、７ａ，７ｂ，１０，５５，９５ａ，９５ｂ，９８　混合器、８，２４，５４，８１，８２，９６　分配器、９，２５，９７　加算器、１２　計測器、３０　スイッチ回路、３１，３２，５６，５８　スイッチ、４０　アンテナ、５０　受信系回路、５７ａＲＳＳＩ測定用フィルタ、５７ｂ　オフセット調整用フィルタ、５７ｃ　振幅調整用フィルタ、５９　レベル測定部、６０　回線インターフェイス、７０，１１０　信号処理部、７１ａ，７１ｂ　振幅調整回路、７２ａ，７２ｂ　オフセット調整回路、８０　ローカル信号発振器、１００　制御部。
【図１】
2004120561.tif 000003
【図２】
2004120561.tif 000004
【図３】
2004120561.tif 000005
【図４】
2004120561.tif 000006
【図５】
2004120561.tif 000007